(57)【要約】  プラズマ源が説明される。この源は、複数の電極から形成されたリアクタンス性インピーダンス素子を備える。そのような複数の電極を設けることと、隣接する電極に対して位相が一致しないように電力を供給することによって、発生されるプラズマの特性を改善することができる。
2008541367.tif 000002
【特許請求の範囲】
【請求項１】
プラズマ励起領域およびプラズマ励起リアクタンス性インピーダンス素子を備えるプラズマ源であって、
前記プラズマ励起リアクタンス性インピーダンス素子は、高周波発生器に結合されている複数の電極を備え、
前記複数の電極のうちの隣接する電極は、使用中に、前記電極を前記発生器に結合するに当たり、互いに位相が一致しないことを特徴とするプラズマ源。
【請求項２】
参照電極をさらに備えることを特徴とする請求項１に記載のプラズマ源。
【請求項３】
前記参照電極は、前記プラズマ励起領域の下に設けられていることを特徴とする請求項２に記載のプラズマ源。
【請求項４】
前記リアクタンス素子は、前記プラズマ励起領域に隣接して設けられていることを特徴とする先行する請求項のいずれかに記載のプラズマ源。
【請求項５】
前記発生器は、無線周波数帯の周波数から超高周波数帯の周波数まで調整可能であることを特徴とする先行する請求項のいずれかに記載のプラズマ源。
【請求項６】
低周波発生器をさらに備えることを特徴とする先行する請求項のいずれかに記載のプラズマ源。
【請求項７】
前記リアクタンス性インピーダンス素子の前記電極は、前記低周波発生器にも接続されていることを特徴とする請求項６に記載のプラズマ源。
【請求項８】
前記低周波発生器は、同相モード構成で動作可能であることを特徴とする請求項７に記載のプラズマ源。
【請求項９】
前記低周波発生器に接続されている前記電極のうちの選択された数の電極は、同相モードで動作可能であり、前記低周波発生器に接続されている前記電極のうちの選択された他の電極は、差動モードで動作可能であることを特徴とする請求項７に記載のプラズマ源。
【請求項１０】
前記低周波発生器に接続されている前記電極の少なくとも５０％は、差動モードで動作可能であることを特徴とする請求項９に記載のプラズマ源。
【請求項１１】
前記低周波発生器および前記高周波発生器は、同時に動作可能であることを特徴とする請求項６に記載のプラズマ源。
【請求項１２】
複数の低周波発生器が設けられていることを特徴とする請求項６に記載のプラズマ源。
【請求項１３】
前記複数の低周波発生器は、直列に結合されていることを特徴とする請求項１２に記載のプラズマ源。
【請求項１４】
第１の低周波発生器が設けられ、かつ４ＭＨｚで動作可能であり、
第２の低周波発生器が設けられ、かつ７５ｋＨｚで動作可能であることを特徴とする請求項１３に記載のプラズマ源。
【請求項１５】
前記低周波発生器および前記高周波発生器のそれぞれは、所望のプロセス出力を供給するために個別に印加可能に構成されていることを特徴とする請求項６にプラズマ源。
【請求項１６】
前記低周波発生器および前記高周波発生器の出力のそれぞれは、他の出力によって制御されるプロセスパラメータから独立したプロセスパラメータを制御する出力を供給するように構成されていることを特徴とする請求項６に記載のプラズマ源。
【請求項１７】
さらに、ワークピースを支持するように構成されていることを特徴とする先行する請求項のいずれかに記載のプラズマ源。
【請求項１８】
前記ワークピースは、前記参照電極に隣接して装着可能であることを特徴とする請求項１７に記載のプラズマ源。
【請求項１９】
前記プラズマ励起領域を通して前記ワークピースの移動を可能にするように構成されていることを特徴とする請求項１７に記載のプラズマ源。
【請求項２０】
前記複数の電極は、平面構成で設けられ、
前記リアクタンス性インピーダンス素子の個々の電極は、前記リアクタンス性インピーダンス素子の他の電極と軸方向に位置合わせされていることを特徴とする先行する請求項のいずれかに記載のプラズマ源。
【請求項２１】
前記複数の電極は、湾曲した素子を形成するように配置されていることを特徴とする請求項１から１９のいずれかに記載のプラズマ源。
【請求項２２】
前記湾曲した素子は、非平面のワークピースの処理を可能にするように使用されることを特徴とする請求項１６に記載のプラズマ源。
【請求項２３】
前記複数の電極のうちの選択された電極は、非平面構成で設けられていることを特徴とする請求項１から１９のいずれかに記載のプラズマ源。
【請求項２４】
前記選択された非平面電極は、参照電極であることを特徴とする請求項２３に記載のプラズマ源。
【請求項２５】
前記参照電極は、円筒形状で設けられていることを特徴とする請求項２４に記載のプラズマ源。
【請求項２６】
前記湾曲した素子は、平面のワークピースを処理するために使用されることを特徴とする請求項２１に記載のプラズマ源。
【請求項２７】
前記リアクタンス素子は、前記複数の電極のうちの選択された電極を通してのガスフィードを可能にするように構成されていることを特徴とする先行する請求項のいずれかに記載のプラズマ源。
【請求項２８】
前記リアクタンス素子は、前記電極の全てを通してのガスフィードを可能にするように構成されていることを特徴とする請求項２７に記載のプラズマ源。
【請求項２９】
前記リアクタンス素子の個々の電極は、シャワーヘッド構成で構成されていることを特徴とする請求項２７に記載のプラズマ源。
【請求項３０】
個々の電極を通してのガスフローを別々に制御可能であることを特徴とする請求項２７に記載のプラズマ源。
【請求項３１】
個々の電極を通しての前記ガスフローの制御は、複数の領域のガスフィードを提供し、それによって前記プラズマ励起領域の異なる領域において異なるガス化学作用を可能にすることを特徴とする請求項３０に記載のプラズマ源。
【請求項３２】
ポンプをさらに備え、
前記ポンプは、前記リアクタンス素子の選択された隣接する電極間のポンピングを可能にして、前記プラズマ励起領域からガスを除去できるようにすることを特徴とする先行する請求項のいずれかに記載のプラズマ源。
【請求項３３】
前記プラズマ励起領域から電気的に絶縁され、それによってプラズマの再形成を防止する前記プラズマ源の領域への前記ガスの除去を可能にするように構成されていることを特徴とする請求項３２に記載のプラズマ源。
【請求項３４】
前記高周波発生器は、２相供給源であることを特徴とする先行する請求項のいずれかに記載のプラズマ源。
【請求項３５】
前記高周波発生器は、３相供給源であることを特徴とする請求項１から３３のいずれかに記載のプラズマ源。
【請求項３６】
前記高周波電力は、スイッチモード構成で提供されることを特徴とする先行する請求項のいずれかに記載のプラズマ源。
【請求項３７】
前記スイッチモード構成は、同じスイッチによって全て駆動される同じ位相の電極の組を備えることを特徴とする請求項３６に記載のプラズマ源。
【請求項３８】
前記スイッチモード構成は、それ自体のスイッチに対する各電極の結合を可能にすることを特徴とする請求項３６に記載のプラズマ源。
【請求項３９】
前記スイッチモード構成は、単一のスイッチに対する２つ又はそれ以上の電極の結合を可能にすることを特徴とする請求項３６に記載のプラズマ源。
【請求項４０】
前記スイッチモード構成は、ＤＣフィードラインへの低周波発生器の結合を与えることを特徴とする請求項３６に記載のプラズマ源。
【請求項４１】
前記複数の素子のうちの選択された素子は、不導体材料または誘電体材料から選択された外側コーティングを備えることを特徴とする先行する請求項のいずれかに記載のプラズマ源。
【請求項４２】
前記複数の電極は、第１の電極によって導入される任意の電流が第２の電極によって実質的に相殺され、それによって前記プラズマ励起領域の中に導入される正味電流が減少するように配置されていることを特徴とする先行する請求項のいずれかに記載のプラズマ源。
【請求項４３】
前記複数の電極は、２つ又はそれ以上の電極の組に構成され、
各組は、互いに同位相の電極を有し、
前記組のそれぞれは、他の組によって前記プラズマ励起領域の中に導入される任意の正味電流を実質的に相殺するように構成されていることを特徴とする請求項４２に記載のプラズマ源。
【請求項４４】
請求項１から４１のいずれかに記載のプラズマ源を備えることを特徴とするリエントラントプラズマプローブ。
【請求項４５】
製品の内部表面をコーティングするための高周波プラズマリエントラントプローブであって、
ワンド上に設けられた電極構造体構成を備え、
前記ワンドは、前記内部表面に隣接した前記製品の領域内への前記構造体の挿入を可能にすることを特徴とする高周波プラズマリエントラントプローブ。
【請求項４６】
先行する請求項のいずれかに記載のプラズマ源を動作させる方法であって、
前記方法は、特定のプロセス出力を最適化するために前記高周波発生器を調整するステップを含み、
前記調整するステップは、所望の前記特定のプロセス出力が実現されるまで生成されたプラズマの特性の変更を可能にすることを特徴とする方法。
【請求項４７】
請求項６に記載のプラズマ源を動作させる方法であって、
前記高周波発生器および前記低周波発生器のそれぞれは、特定のパラメータを制御し、
前記高周波発生器および前記低周波発生器は、所望のプロセス出力を供給するように個別に適用可能であることを特徴とする方法。
【請求項４８】
請求項４７に記載のプラズマ源を動作させる方法であって、
前記方法は、スイッチモード構成において、容量手段および誘導手段によって前記プラズマに結合される電力の相対的量を変化させるように、電極電圧のスルーレートを変化させるステップを含むことを特徴とする方法。
【請求項４９】
請求項４７または４８に記載の源を動作させる方法であって、
スイッチ間の周期が前記プラズマに送達される総電力を制御するように制御されることを特徴とする方法。
【請求項５０】
請求項４７から４９のいずれかに記載の源を動作させる方法であって、
適切なＤＣレール電圧が、イオンエネルギーを制御し、それによって前記プロセスを最適化するように選択されることを特徴とする方法。
【請求項５１】
プラズマの生成に用いられる無線周波数（ＲＦ）電力を電極アセンブリに結合するための方法であって、前記方法は、
ａ．プラズマ体積部分に隣接して複数の電極を設けるステップと、
ｂ．前記複数の電極を可変周波数発生器に切替可能に結合するステップと、
ｃ．前記プラズマ体積部分の中に前記発生器によって供給される電力の誘導結合の量を変化させるようにスイッチ領域のスルーレートを制御するステップと
を含むことを特徴とする方法。
【請求項５２】
前記可変周波数発生器は、高周波発生器であることを特徴とする請求項５１に記載の方法。
【請求項５３】
スイッチング間の前記周期が、前記プラズマ体積部分の中に付与される電力の量を決定するために使用されることを特徴とする請求項５１または５２に記載の方法。
【請求項５４】
前記スルーレートを制御するステップは、ＲＦ範囲から超高周波数（ＵＨＦ）範囲までの遷移を可能にし、それによって、プロセス化学作用および／または電子温度（Ｔｅ）の調整を可能にすることを特徴とする請求項５１から５３のいずれかに記載の方法。
【請求項５５】
電極が高圧状態に置かれる時間の長さが、前記電極、および前記源が閉じ込められた構成で使用される場合には下部電極、のイオン衝撃エネルギーを制御することを特徴とする請求項５１から５４のいずれかに記載の方法。
【請求項５６】
前記電極に印加される電圧の値の選択がイオン衝撃エネルギーを制御することを特徴とする請求項５１から５５のいずれかに記載の方法。
【発明の詳細な説明】
【技術分野】
【０００１】
本発明は、プラズマ源に関し、より詳細には、プラズマプロセス内で制御された波長効果を可能にするために互いに位相が不一致であるように構成されたリアクタンス素子を備えるプラズマ源に関する。
【背景技術】
【０００２】
プラズマは、電気を導通するイオン化されたガスである。プラズマを生成するために、収容されたガスに電界が印加され、ガスは、通常は特別に設計されたチャンバに収容される。イオンおよび電子が長い寿命を有する真空チャンバ内では、このことは比較的容易である。ＭＨｚ帯の無線周波数（ＲＦ）電力を、チャンバ内に沈められた２枚の金属プレートまたは電極に印加し、それにより容量放電を生成することができる。あるいは、ＲＦ電力をチャンバ壁に取り付けられたコイルに付与し、それにより誘導結合プラズマを生成することができる。
【０００３】
半導体産業では、プラズマは、一般的に半導体、絶縁体および金属面であるワークピース（ｗｏｒｋｐｉｅｃｅ）上に材料を堆積し、またワークピースから材料をエッチングするために使用される。このプロセスは、特定の電子部品を基板上に形成するために利用される。ワークピースが位置する真空プラズマ処理チャンバの中にガスが導入される。ガスは、アンテナがプラズマウィンドウ付近に電流を伝導する誘導源、または振動電圧とともに１つ（または複数）の電極を使用する容量源のいずれかを使用することにより、電気絶縁破壊を経ることによって励起領域内にプラズマを形成する。１９９０年代初期まで容量ベースのシステムが好ましい選択肢であったが、１９９１年から１９９５年の期間に、誘導源がより一般的になり、金属エッチングまたはポリエッチング用途において優位を占め続けている。しかしながら、この種の誘導源プラズマには酸化物エッチング用途において問題がある。さらに、製造基準に必要な性能および安定性を与える酸化物エッチングのための誘導システムの設計は、誘導ベースのシステムのコストをかなり高くする。
【０００４】
１９９８年頃に、これらのシステムの製造業者、例えばラムリサーチ社やＴＥＬなどの会社が、この分野のプラズマエッチングの問題に対してより安価でより信頼性が高い解決策を提供するために容量システムに再び集中し始めた。更なる開発が、誘導システムを犠牲にした容量システムの再導入につながった。二重周波数容量システムが酸化物エッチング用途に対する好ましい選択肢として再び現れたのは、この環境においてである。
【０００５】
この二重周波数システムに向けた傾向の理由は、単一周波数容量リアクタでは、より高いイオン衝撃エネルギーを得るためにＲＦ電力を増やすことは可能であるが、プラズマ密度もまた増加することである。これらの２つのパラメータは、単一の周波数発生器を使用する場合には独立に変更することができない。柔軟性を高めるために、容量プラズマの励起の周波数を２つ以上設けることができる。例えば特許文献１に記載されている典型的なアプローチでは、各々が１つの電極に取り付けられた、２つの別個の電源（高周波電源および低周波電源）が使用される。例えば、ＭＨｚ信号に対しては高インピーダンスであるように見える一方、ＫＨｚ信号では頂部電極を接地するインダクタを使用してフィルタ処理を用い、２つの信号間の相互作用が最小限に抑えられる。同様に、コンデンサを使用して、高周波信号に対して下部電極が接地される。代替構成は、三極管、または、プラズマが特定の放射状幾何学的配置内に閉じ込められている閉じ込められた配置を含み、また、両方の電源が同一の電極に接続されているさらなる配置も使用することができる。全ての場合において、基板、必然的に関連するピンおよびリフター等の基板操作部品、冷却剤、センサなどが、ＲＦ駆動であり、したがって外界への結合はそれらの環境に同調（ｓｙｍｐａｔｈｅｔｉｃ）する必要がある。これは、設計上の複雑性をもたらし、必然的にコストに高くする。
【０００６】
かなりよい近似として、二重周波数容量システムでは、高周波電力がプラズマ密度を制御すると言える。より高い電流に起因して、より効率的な変位電流がプラズマおよびシース加熱機構へのオーム電力を増加する。低周波励起は、イオン衝撃エネルギーに影響を与える。したがって、ユーザにはイオン衝撃エネルギーおよびプラズマ密度を別個に調整するいくらかの能力があるが、それは単一の励起周波数ではあまり容易でない。この設計のリアクタは、ＰＥＣＶＤ（プラズマ化学気相成長法）およびプラズマエッチングの両方において用途が見出された。
【０００７】
最も知られたシステムは、それを通して電力がプラズマ領域を導入することができる単一の電極を使用する。特許文献２〜４には、複数の電極セグメントを有し、各セグメントがそれぞれに接続されたＲＦ電源を有する分割電極構造（ｓｅｇｍｅｎｔｅｄ  ｅｌｅｃｔｒｏｄｅ  ｓｔｒｕｃｔｕｒｅ）の使用が説明されている。制御システムが、プラズマ負荷インピーダンスを適合させるためにインピーダンスを動的に変えるように構成されている。これらの配置は、電極間のいかなる相互作用も最小限に抑えるように特に配置され、それによって、電極素子が互いに同位相であることを意味する。しかしながら、すべての場合において、高動作周波数において電磁出力分布に波長効果を生じさせることができる、プラズマ中に導入される正味の電流がなおあり、不均一な電圧および電流、プラズマ中への不均一なパワー付与、ならびに結果として生じる基板表面上の不均一なプロセス（エッチングおよび／または堆積）に結びつく。
【０００８】
【特許文献１】国際公開第ＷＯ０３０１５１２３号パンフレット
【特許文献２】米国特許出願第２００４／０１６８７７０号明細書
【特許文献３】米国特許第６９６２６６４号明細書
【特許文献４】米国特許第６８８４６３５号明細書
【発明の開示】
【発明が解決しようとする課題】
【０００９】
リアクタ設計におけるこれらの進歩にも関わらず、多くの問題点が依然として存在する。これらには、電圧の不均一性を引き起こし、電極表面に平行してプラズマ内に電流を導入する前述の波長効果が含まれ、これらの条件の下では、不均一なパワー付与もあり、これはプラズマの性能を劣化させる不均一なプラズマ密度を生じると予想されうる。
【００１０】
それゆえ、これら及び他の問題点を克服するように構成されたプラズマ源を提供することが望まれている。
【課題を解決するための手段】
【００１１】
これら及び他の問題点は、本発明によるプラズマ源によって対処される。本発明の第１の実施形態によるそのような源は、複数の隣接した電極を設け、各電極は、それに隣接した電極に対して位相が不一致である。
【００１２】
前記電極は、例えば平坦、半球状、ドーム、凸形、凹形、および／または波状を含む、複数の異なる幾何学的構成のうちの任意のものとすることができる。前記電極は、生成されたプラズマと直接に接触するように設けることができる。本発明による配置を用いて、電極間隔および／もしくは出力分布設計、ならびに／または例えばコンデンサおよび／もしくはインダクタなどの能動素子の含有を変更することによって、中心から縁へのパワー付与（ｃｅｎｔｒｅ−ｔｏ−ｅｄｇｅ  ｐｏｗｅｒ  ｄｅｐｏｓｉｔｉｏｎ）を制御することが可能である。
【００１３】
それゆえ、本発明は、請求項１に記載のプラズマ源を提供し、有利な実施形態が従属項に詳述されている。本発明はまた、請求項４６および４７による源を動作させる方法を提供し、有利な実施形態が従属項に詳述されている。本発明はまた、請求項５１に記載のＲＦ電力を電極アセンブリに結合するための方法を提供し、有利な実施形態が従属項に詳述されている。また、請求項４４あるいは４５に詳述されるように、リエントラントプローブがある実施形態において提供される。本発明はまた、実質的に以下の図面を参照して本明細書に記載されるような、プラズマ源を提供する。
【００１４】
本発明のこれら及び他の特徴を、本発明の例示的実施形態を参照して説明する。
【発明を実施するための最良の形態】
【００１５】
図１は、本発明の実施形態によるプラズマ源１００の動作部品（ｏｐｅｒａｔｉｏｎａｌ  ｃｏｍｐｏｎｅｎｔ）の概略図を示す。プラズマ源１００は、プロセスガスをその中に導入することができるプラズマ励起領域１１０を備える。この領域は、最終的なプラズマ体積を確定し、ガスが、この領域内に配置されたワークピースの加工に使用されるプラズマに変換されるのはこの領域においてである。プラズマ励起リアクタンス性インピーダンス素子（ｐｌａｓｍａ  ｅｘｃｉｔｉｎｇ  ｒｅａｃｔｉｖｅ  ｉｍｐｅｄｅｎｃｅ  ｅｌｅｍｅｎｔ）１０５が、励起領域１１０の上に設けられる。この素子は、高周波（ＨＦ）発生器または源１２５に結合され、この素子に対する印加は、プラズマの密度を制御するために使用される。本明細書において高周波という用語は、時には無線周波数帯から超高周波数帯の周波数と呼ばれる、１０ＭＨｚ−３００ＧＨｚ帯で与えられる電磁放射を包含することが意図されている。参照電極１１５が領域１１０の下に変位されて（ｄｉｓｐｌａｃｅｄ）、任意選択で低周波（ＬＦ）源に結合され、その印加は（現在の最高水準の技術のように）表面に当たるイオンのエネルギーを制御するために使用される。本発明の源とともに用いられる低周波発生器の標準値は、７５−４６０ｋＨｚ帯の出力を与えるものであり、例示的発生器としては、ＥＮＩ、ＲＦＰＰおよびＡｄｖａｎｃｅｄ  Ｅｎｅｒｇｙによって供給されるものが挙げられる。本発明の文脈において、低周波源はイオンエネルギーを支配的に駆動し、シース上の容量電圧をもたらすものである。低周波源が高周波源と共に動作可能なとき、２つを区別可能なことが望ましく、したがって、低周波の動作周波数と高周波の動作周波数との間の１桁の分離で充分である。オーミック電力付与（Ｉ＾２Ｒ）がＨＦ電力と比較して小さいように、ＬＦは十分に低いプラズマ電流を有することが意図されている。その時、ＬＦ寄与は、支配的に電極に対する電圧にある。特定の用途では、例えば１つが１３．５６ＭＨｚで他方が約３００−８００ｋＨｚというように、望ましくは２つ以上のＬＦセクションを直列に設けることができることが理解されるだろう。
【００１６】
参照電極は、ワークピースのためのマウント（図示せず）を提供し、それは一般に半導体、絶縁体または金属基板である。素子１０５、１１５への適切な電界の印加は、プラズマの中性種に対するイオンおよびラジカルの正しい比率、そしてワークピースに入射するイオンのエネルギーの制御を生成し、かつ維持する役割を果たす。ガス輸送および励起領域におけるこれらの粒子の滞留時間は、重要な役割を果たす。この制御は、使用されている選択された堆積プロセス又はエッチングプロセスにとって正しい方法を確実にするために必要とされる。
【００１７】
本発明によると、リアクタンス素子は、複数の個々の電極から作製される。個々の電極は、この例では４つの電極１０５ａ、１０５ｂ、１０５ｃ、１０５ｄとして示され、この４つの電極は、組み合わされて２組の電極１０５ａ／１０５ｃおよび１０５ｂ／１０５ｄを形成する。望ましくは、偶数の電極が設けられ、各電極が、隣接した電極に差動信号を供給するように構成された高周波電源に個別に接続される。このように、第１の電極１０５ａに印加される信号は、そのすぐ隣の電極１０５ｂに印加される信号と位相が不一致である。同様に、電極１０５ｂは電極１０５ｃと位相が一致せず、電極１０５ｃは電極１０５ｄと位相が一致しない。このようにして、高周波発生器または駆動装置が、電極の組の間の差異（ｄｉｆｆｅｒｅｎｔｉａｌ）を生成するとみなすことができる。まさに誘導結合の性質によって、波長効果が電極およびプラズマ内に存在するが、本発明のリアクタンス素子を構成する複数の電極は、不均一な効果という従来の単一電極の問題と対照的に、所望のプラズマ密度を得るように波長効果を制御することができるという点で有利である。リアクタンス素子に隣接して生じる電極寸法のスケール長の不均一性が、基板における過剰なプラズマ不均一性に結びつかないように、個々の電極の寸法が選択されて最適化される。これらの寸法は、プラズマ源が使用される特定の用途に応じて変化する可能性があるが、個々の電極の寸法は、この源と基板またはワークピースとの間の距離以下であり、そして、特定の用途に対して望まれるならば均一な効果を与えることが好ましいことが理解されるだろう。電流の等化（ｅｑｕａｌｉｓａｔｉｏｎ）に対する要件がある場合、変圧器１１１も任意選択で備えることができる。
【００１８】
本発明の源によって提供される複数の電極は、プラズマ体積部分の中に誘導される正味電流の制御を可能にする。高周波で、プラズマ体積部分の中に導入される任意の正味電流が、ワークピースの表面上の電圧非対称に波長効果を介して反映される可能性があることは理解されよう。これは、有利なことではない。隣接したセグメントへの電流の効果的結合を通して、ワークピースにおけるこれらの波長効果を取り除くためにプラズマ体積部分の中に導入される正味電流の合計を減少させることが可能である。複数のセグメントが同様に構成された同相電極の組に分割されるアレイ構造において、各組は、正味電流をこの体積部分の中に導入することができるが、導入される正味電流の組合せ又は合計は、互いに実質的に相殺することによって減少させられる。このような相殺は、異なる組を互いに位相が一致しなくすることによって達成され、正味の効果は、１つの電極の組によって導入されるいかなる位相効果も、別のそれによって相殺されることである。
【００１９】
図２は、ＬＦおよびＨＦ供給源の両方がリアクタンス素子に接続されている図１の配置に対する変形形態であるプラズマ源２００を示している。本実施形態において、ＨＦ発生器およびＬＦ発生器は、同時に又は互いに独立に印加することができる。両方の発生器を同じリアクタンス素子プレートに結合することによって、下部電極、参照電極、を接地することが可能である。この接地への経路にコンデンサを設ける必要はなく（すなわち、参照電極は接地に直接に接続することができる。）、チャンバの設計要件が単純化されるという点で参照電極を接地可能にするこの配置は非常に有利である。例えば、可動底部ステージが設けられた構成において、その可動ステージを構成するベローズ（ｂｅｌｌｏｗｓ）が未知で変動するインピーダンス経路を確定することが従来は必要であったが、下部ステージを接地することでこれはもはや要求されない。公知技術を使用して、ＬＦ出力の効果は、プラズマ体積部分を閉じ込めることによって関心領域において最大化することができることが理解されるだろう。これは、例えば石英閉じ込めリングなどの様々な方法で達成されることができる。
【００２０】
ＬＦ供給は、差動または同相モードのいずれかで供給することができる。差動モードにおいて、そのすぐ隣に設けられた電極と位相が一致しない第１の電極に印加される低周波信号によって、イオンエネルギーが、リアクタンス素子電極またはそれに結合された誘電材料に与えられる。ＬＦ供給源が同相モードで提供される場合、より大きなイオンエネルギーが参照電極に与えられ、そして正味電流がプラズマ体積部分内に導入される。したがって、同相モード構成のリアクタンス素子を構成する複数の電極の駆動は、参照電極に取り付けられたワークピースへのイオン衝撃を制御する。差動モードは、基板（参照電極）に対するより低いイオンエネルギーに結びつくが、材料をスパッタし、かつ／または電極を堆積からきれいに保つためのリアクタンス素子に対する高イオンエネルギーを保持することが理解されるだろう。図１を参照して記述されるそれと同様に、変圧器１１２を、任意選択で、同相モードまたは差動モードのいずれかでＬＦを結合するために設けることができる。さらに、他の技術、例えばＬＦ電力をＨＦ線に結合するローパスフィルタ又はＬＦマッチボックス部品を使用して、ＬＦ電力をシステムに結合することができると理解されることになるので、ＬＦを供給するために使用される例示された方法は、実装することができた方法の種類の例示であると理解されるであろう。
【００２１】
発生器または供給源は、ＶＨＦまたはＲＦモードのいずれかで動作させることができ、その違いは、ＶＨＦモードでは高周波が誘導的に結合され、ＲＦモードでは容量的に結合されることである。周波数を変える能力は、誘導放電から容量放電への転移を制御することを可能にし、それにより、従来技術の構成におけるように単一電極が利用される場合に起こると思われるように、結果として生じる非一様なエッチング（又はプラズマ処理を使用して与えられるどんな表面処理）プロファイルがワークピース上に生じることなく、高周波から低周波まで、又はその逆に進むことができる。誘導放電が支配的になる実際の周波数は正確でないものの、それは、プラズマ放電が主に誘導ベースである約５００ＭＨｚの周波数であると考えられる。
【００２２】
これまで記述された形態に対する変形において、本発明はまた、正弦波動作と対照的にスイッチモードで動作するＨＦ源を提供する。このようなスイッチモード動作は、誘導結合の量を決定する「有効周波数」を得るためにスイッチ領域のスルーレート（ｓｌｅｗ−ｒａｔｅ）を変更することが可能であるという点で有利である。リアクタンス素子が高圧状態、すなわちプラトー領域に残される時間の長さは、上方電極、そしてこの源が閉じ込められた配置で使用されるならば下部電極のイオン衝撃エネルギーを制御するであろう。高電圧の値の選択は、それがイオン衝撃エネルギーを制御し、また上方電極をきれいに保つこと補助するという点で有用である。ランプアップ（ｒａｍｐ  ｕｐ）間の、すなわちスイッチング間の周期の制御は、体積部分の中に付与される電力に対する制御を与える。スイッチモード発生器は、明確な特性および部品によって、一般的なエレクトロニクス分野において周知である。このようなスイッチモード発生器を使用する能力は、プラズマ源のコストの減少を可能にする。スイッチモード発生器は、等価的な正弦波ベースの発生器より安価なのである。スルーレートを制御することによって、容易にＲＦ領域から超高周波数（ＵＨＦ）へ移ることが可能であり、それによって、プロセス化学および／または電子温度（Ｔｅ）を調整する可能性を提供する。スイッチモード動作の種類の具体例が図７に示され、ここで図７ａに、相対的に一定の高電圧信号または低電圧信号を有する平らなプラトー領域を与えられることが示され、一方図７ｂに、多ステップ構成が与えられる。スイッチ領域は「Ａ」とマークされ、プラトー領域は「Ｂ」とマークされる。「Ａ」領域は、電圧スイッチと電極との間の、設計かつ制御可能のリアクタンス素子によって引き起こされるオーバーシュートとみなすことができる。
【００２３】
図９は、このようなスイッチモード動作を提供する際に使用することができる種類の回路構成の例を示す。この構成では、ＬＦ発生器９００、負供給源９０５および正供給源９１０はすべて、一つ又は複数の電界効果トランジスタ（ＦＥＴ）９２０または他のなんらかのスイッチング素子を介して、１つ又は複数の電極９２５に切替可能に結合される。使用されるスイッチのいずれもが高速スイッチであることが最適である。電極は、それぞれの供給源に個別に接続することができるか、または同時にすべて切替えられる電極の組にグループ化することができる。ＦＥＴ駆動素子９３０がスイッチングを制御するためにＦＥＴに接続され、そして、選択された切替えられる電極は、制御線９３５によって決定される。図９に例示される実施形態において、制御線は、（ＬＦ供給源、正供給源および負供給源に類似した形態で）変圧器９４０のコイルを経てＦＥＴドライバに結合される。別の実施形態では、例えば制御線が光学フィードとして設けられている場合では、それは直接にＦＥＴドライバに結合することができる。
【００２４】
これまで、本発明は平坦なワークピースと共に動作するように構成されたプラズマ源を参照して説明され、ここで、リアクタンス性インピーダンス素子および参照電極を構成する電極は、互いに、そしてワークピースに対して実質的に平行である。このような配置は、平坦なウェーハがエッチングのために提供される半導体環境における用途に対して有利で有用である。しかしながら、プラズマ源は、平坦でない基板、例えば織物スクリーン印刷（ｔｅｘｔｉｌｅ  ｓｃｒｅｅｎ  ｐｒｉｎｔｉｎｇ）用途におけるフィルム等を処理することが望まれる他の用途でも使用できることが知られている。図３は、フィルム３０５が最初にリール３１０上に設けられる構成３００等において用いるために、本発明をどのように構成することができるかを概略的に示す。フィルムは、最初のリール３１０から巻出（ｕｎｗｉｎｄ）ステーション３１５上に巻き出されて、処理される場所であるプラズマ源１０５を通過し、巻戻（ｒｅｗｉｎｄ）ステーション３２０に巻き戻される。リアクタンス素子を構成する複数の電極が、拡張された領域にわたる均一なプラズマの供給を可能にするので、本発明のプラズマ源は、このような大寸法表面を処理するのに適している。本発明の構成は、より高い周波数源の設備の使用を可能にし、したがって、プラズマ源を通過するフィルムの速度を増加することができる。リアクタンス素子の複数の電極が印加プラズマの均一性を損なうことなくより高密度印加を可能にするので、これらのより高い周波数は、プラズマ品質の減損に至らない。このような構成はまた、大面積の同時処理が必要とされるプラズマスクリーン、ＬＣＤディスプレイ、金属／ガラス上の工業コーティングなどのために変更することができることは理解されるだろう。この実施形態に示されるＬＦ供給源は基板プレートに結合されているが、図２を参照して説明したのと同様に、上部のリアクタンス素子を通した低周波フィードを有することもできることは理解されるだろう。本発明の特徴は、この源を、材料の移動の方向に延長することもできることである。したがって、表面のプラズマ処理（エッチング、堆積、表面特性の変更など）の量は、プラズマ源の物理的な広がりによって制御することができる。これはさらに、異なるステップによって実行される処理の量を個別に最適化することができる複数の処理ステップの統合を可能にする。例えば、処理される材料が１ｍ／分の速度を有し、２５および５０ｃｍの物理的な長さの２つの連続したプラズマ源領域を通過する場合、２つの源に対する有効処理時間は、それぞれ１５および３０秒であるだろう。このようにして、本発明の教示に従う電極構成は２次元で設けることができ、第２の次元が反応体積部分を通した基板の移動を可能にし、源を通して進行する際にウエブ（ｗｅｂ）の連続処理を可能にする。
【００２５】
特定の用途では、湾曲した処理領域の使用が必要な場合がある。本発明は、２つの方法のうちのいずれかでこのような処理を可能にする。第１に、図３を参照して説明したの同様に、本発明は、湾曲したワークピースを処理するためにリアクタンス素子の実質的に平坦な構成を利用する。図４は、本発明の教示に従う代替構成を示しており、この源を平坦でないプラズマ体積部分に適用することができる。この例では、平面電極を非平面幾何学的配置で配置するか又は非平面電極を設けるかのいずれかによって、非平面構成で構成することができる電極構成を設けることは有利になりうる。図４の例は、複数の平面電極が、複数のそれぞれ六角形にされた電極４０５を備える六方最密構成４００に配置された前者の構成を示している。この例では、図１から３の構成の直接プッシュプル動作と対照的に３相駆動メカニズムが使用され、そして各電極は、（それぞれ１、２、３とラベルすることによって識別される）３つの源のそれぞれに接続される。先の図の実施形態と同様に、隣接した２つの電極のどれも互いに同位相でない。各源の出力構成の例については、図５を参照されたい。電流均衡を補助するために、３重巻き（ｔｒｉ−ｆｉｌａｒ）変圧器を使用することができる。これは、基板より上の低電圧の供給および電流の均一化を可能にするという点で有利である。他の状況において、正味電流それゆえ正味電圧を参照電極に駆動することが有用である特定の用途では、電流不均衡の素子を有することが有利でありうることが理解されるだろう。更に理解されるであろうことは、２および３相源の例は、本発明のリアクタンス素子とともに使用することができる種類の周波数発生器の例示であり、特定の他の用途では、より高次の相供給を提供可能な源を必要とする場合があることである。
【００２６】
本発明の電極構成によって可能にされる幾何学的配置は、例えば図８に示されるリエントラントプローブを設けるために使用することができる。リエントラントプローブ８００のこの例示的な実施形態において、電極構造体８０５がワンド（ｗａｎｄ）８１０の端に設けられている。このワンドは、構造体８０５を閉じ込められた領域に挿入して、従来のプラズマ用途に適していない瓶のコーティングや、自動車および航空部品ならびに他の部品の処理等の用途に対して、内部表面へのプラズマコーティングの塗布を可能にするために使用される。本発明によって提供されるＲＦリエントラントプローブでは、ＲＦは、電極構造体において局所的に提供することができ、またはプローブに対して外部に生成して構造体までワンドを下って伝達されることができる。この構造体が球形の幾何学的配置として設けられる場合、電極は、例えば半球構成で配置された２つの異なったセグメント８１５ａ、８１５ｂの形、または、ゴルフボール上のくぼみの配置にいくらか類似した、球体の表面のまわりに配置された複数のセグメントの形で配置することができる。球形の幾何学的配置に言及したリエントラントプローブの説明は、高周波で電力を供給される複数の電極と共に実装される任意のリエントラントプローブが本発明の文脈の範囲内に包含されることが意図されているという点で、限定的であることを意図していない。
【００２７】
本発明のプラズマ源は、放射状ガス流およびプラズマ体積部分の周囲のポンピングを有するシャワー効果電極等の周知のガス配給フィード（ｇａｓ  ｄｉｓｔｒｉｂｕｔｉｏｎ  ｆｅｅｄ）とともに使用することができるが、本発明はまた、特定の実施形態において、下部の参照電極からのガスの除去を可能にするガス配給フィードを利用する源を提供する。図６は、このような源の一部を示しており、リアクタンス素子を構成する２つの隣接した電極が図示されている。電極は、ガスフィードチャンバ６００の下に取り付けられ、このチャンバ内にあるガスは、第１に、入口導管（ｅｎｔｒａｎｃｅ  ｃｏｎｄｕｉｔ）６２０を通してフィードチャンバ６３０に、次に、既存のシャワーヘッド（ｓｈｏｗｅｒｈｅａｄ）技術から当業者に公知である種類の電極に形成された複数の開口６０５を通して、プラズマ励起領域１１０の中に導入することができる。一旦ガスが励起領域１１０の中に入ると、ガスは、電極の上のガス出口６１５を設ける接地板６１０に向けてポンププレナム（ｐｕｍｐ  ｐｌｅｎｕｍ）６２０中に流れる。ポンププレナムは、プラズマ体積部分から電気的に絶縁され、それによってこの領域でプラズマが再形成する可能性を取り除く。この励起領域からのガスのポンピングは、参照電極上で処理される基板とエッチ液ガスが相互作用する可能性を取り除く。ガスが電極周辺を動き回るこの配置において、電極を二酸化珪素等の誘電材料６２５でコーティングすることが必要だろう。そのような誘電体コーティングが、ガスの出口経路を確定するように示されているが、コーティングの正確な範囲は用途に従い変化することができる。
【００２８】
本明細書に記載してきたものは、制御された均一性プロファイルプラズマを提供するために、電極間隔および／もしくは配電（ｐｏｗｅｒ  ｄｉｓｔｒｉｂｕｔｉｏｎ）設計ならびに／または例えばコンデンサおよび／もしくはインダクタなどの能動素子によって中心から縁へのパワー付与（ｃｅｎｔｒｅ−ｔｏ−ｅｄｇｅ  ｐｏｗｅｒ  ｄｅｐｏｓｉｔｉｏｎ）を可能にする新しいプラズマ源であることが理解されるだろう。このことは特定の用途において、特定の選択された領域がその他の領域とは対照的により大きなプラズマ堆積の領域であるように、用途の特定の領域でプラズマのプロファイルの差異を必要としうる。他の用途では、基板全体に同じプロファイルを必要とする場合がある。電極を例示的実施形態に関して説明してきたが、特定の用途のために選択される構成は、例えば平坦、半球状、ドーム、凸、凹、波状等を含む任意の形状のプラズマ対向素子（ｐｌａｓｍａ  ｆａｃｉｎｇ  ｅｌｅｍｅｎｔ）上に配置された電極を有するようなものとすることができることが理解されるだろう。電極は、プラズマと直接に接触するか、あるいは、例えばＳｉＮ、ＡＩＮ、ＳｉＣ、ＳｉＯ２、Ｓｉなどの材料から形成される誘電体窓を通してプラズマと相互作用することができる。本発明の配置は、イオンエネルギー（Ｅｉｏｎ）およびイオン束（Γｉｏｎ）のＨＦ＋ＬＦ独立制御との互換性を含む、従来技術に対する多くの顕著な利点を提供する。
【００２９】
ＲＦからＵＨＦまでスキャンする能力は、プラズマ制御の新しい次元、すなわち、プラズマ密度およびイオンエネルギーから独立してプラズマ化学作用の制御を可能にする。
【００３０】
リアクタンス素子を構成する個々の電極を小さい寸法にすることができ、そしてこれらの寸法はプラズマ体積部分を確定することができるので、小さいプラズマ体積部分を有するプラズマ源を提供することが可能である。個々の電極または電極の対からの任意の個々の非一様な電力結合は、電極から十分大きい距離において非一様なプラズマ密度に結びつかない。具体的には、各素子の大きさが縮小されると、生成されたプラズマ全体を均一にするために必要なプラズマ体積部分内の距離は低減することが理解されるだろう。拡張領域にわたり最小の中心から縁へのパワー付与効果を提供するように構成することができて、それが大きい基板（３００ｍｍウェーハ、ＦＰＤ、織物等）に適しているので、この源は、多くの異なる寸法の基板とともに使用することができる。これは、１つの寸法の基板から別のものまでスケーリング（ｓｃａｌｉｎｇ）する簡略化されたプロセスを可能にする。
【００３１】
同様に、必要とされるプロセスに適合させるように動作周波数を選択することができるので高周波源の使用可能性は有利であり、また、プラズマ不均一性を導入せずにこれまで達成可能なものと比べてより高い周波数を用いることが可能である。
【００３２】
この源は、現在の世代のシステムに類似したガス配給フィードとともに使用するか、あるいは、エッチ液または堆積副産物ガスと基板材料との間の任意の相互作用を最小限に抑える分布フィードとともに使用することができる。
【００３３】
下部電極が接地可能なのでシステムコストが減少。これは、補助機器を接地から分離する必要があるという要件があった高周波下部プレートを設ける必要がもはやないという点で有利であり、本発明の構成は、補助機器を接地することを可能にする。
【００３４】
低いコストで必要な周波数を供給することができる高度なＨＦ電源供給技術および直接駆動スイッチモード電力（ｄｉｒｅｃｔ−ｄｒｉｖｅ  ｓｗｉｔｃｈ−ｍｏｄｅ  ｐｏｗｅｒ）との互換性。下部電極を通してのＨＦがなく、したがって可変間隙（ｖａｒｉａｂｌｅ  ｇａｐ）の設計がしやすい。ＨＦ成分がもっぱらリアクタンス素子に印加されるので、チャンバボディを通してのＨＦ反射を最小限に抑えることが可能であり、したがって、閉じ込められていないプラズマの発生は生じにくい。さらに、もはや、チャンバの他の構成部分内にこのようなＨＦ経路を厳密に設ける必要がない。
【００３５】
本発明は、複数の物理的に個別に異なるリアクタンス素子であって、隣接した電極が互いに位相が一致せずに接続されるものを提供することが理解されるだろう。２つの隣接した電極が互いに同位相で接続されるならば、それらは実質的に物理的により大きい単一電極のようであり、そして、この種の単一のより大きい電極はそのすぐ隣と位相が一致しないことが理解されるだろう。
【００３６】
本発明のリアクタンス素子は任意の構成またはアレイ構造、例えば２次元のアレイまたは線形構造で提供され、理解されるように、必要とされる用途に従う寸法が決定される。本発明の構成は、ＶＨＦ／ＵＨＦ動作要件および性能水準との互換性を維持しつつ、このような設計（ｓｃａｌｉｎｇ）を可能にすることが理解されるだろう。
【００３７】
本明細書に記載されたのは、従来の単一電極アプローチと対照的に、複数の電極を使用するプラズマ源に対する様々な変更態様であることが理解されるだろう。本発明の教示に従う源を導入することによって、ウェーハ当たりのコストを低減し、エッチングならびに半導体およびフラットパネル製造プロセスにおける化学気相堆積（ＣＶＤ）に対する歩留を高めることが可能であり、また、３００ｍｍより大きいウェーハまで、および大型ディスプレイ用途のために設計可能である。このような利点等は、ドライバ制御を通しての、およびガスポンピング配置を通してのプラズマのより大きな制御が可能であり、エッジ効果の減少があるという事実を含む様々な理由のために、そして低プラズマ体積部分を使用してプラズマ生成を可能にすることによって可能である。
【００３８】
本発明の教示に従うプラズマ源の使用が利点を有する多くの異なる技術が存在する。これらには、プラズマエッチング、ＣＶＤおよび改質（ｍｏｄｉｆｉｃａｔｉｏｎ）が含まれる。後者の用途である改質は、プラズマ技術を使用した基板の処理を基板の表面特性の変化をもたらすために使用できるものである。これは、材料の（実質的な）堆積または除去を伴わずに表面の物理特性および／または化学特性を変えることによって達成することができる。例えば、脂質の端部上のダングリングボンドを変えることのみによって、表面を疎水性または親水性にすることができる。例えば、水ベースの染料を使用できるように、ウールに水を吸収させることができる。時には、改質は「官能化」および／または「不動態化」と呼ばれる。これらの３つの技術題目の各々の範囲内で、本発明のプラズマ源に適合可能な様々な用途が存在する。このような用途には、プラズマエッチングウエハ製造機器、生産個別表示基板および個別太陽電池基板におけるプラズマエッチングの使用、ロール・ツー・ロール（ｒｏｌｌ−ｔｏ−ｒｏｌｌ）方式の太陽電池基板の生産におけるプラズマエッチング、太陽電池、建築用ガラス、航空機塗料、医療機器、自動車用途等の個別基板と共に使用されるＣＶＤ、および、紙、金属、布、プラスチック等と共に用いられるロール・ツー・ロール方式の用途に使用されるＣＶＤが含まれる。
【００３９】
したがって、本発明は例示的実施形態に言及して説明してきたが、１つの図を参照して説明した特定の構成部分または構成を、必要に応じて別の図の構成と共に使用することができることが理解されるだろう。本発明の精神または範囲から逸脱することなく変更または改変をすることができるので、本発明のこれらの実装例のいかなる説明も、どのような形であれ本発明を限定することを意図していない。本発明は、添付の特許請求の範囲に照らして必要とみなすことができる場合を除いて、どのような形であれ限定されるものではないことが理解されるだろう。
【００４０】
同様に、備える、含む（ｃｏｍｐｒｉｓｅｓ／ｃｏｍｐｒｉｓｉｎｇ）という単語は、本明細書において使用される場合、述べられた特徴、整数、ステップまたは構成要素の存在を明示するが、一つ又はそれ以上の他の特徴、整数、ステップ、構成要素またはそれらの群の存在または追加を妨げない。
【図面の簡単な説明】
【００４１】
【図１】本発明の例示的実施形態を示す概略図である。
【図２】ＬＦ電源への代替的結合配置を示す、図１のシステムに対する変形形態を示す図である。
【図３】本発明のプラズマ源をフィルムと共に使用するための構成を概略的に示す図である。
【図４】３相電力供給構成において使用可能な電極構成の例を示す図である。
【図５】図４の電極構成と共に使用するための３つの電源間の位相差の典型的構成を示す図である。
【図６】本発明によるプラズマチャンバにおいてガスを導入し、またポンプするための、代替的ポンピング構成を示す図である。
【図７ａ】本発明の教示に従う源の動作において使用するためのスイッチングシークエンスの例を示す図である。
【図７ｂ】本発明の教示に従う源の動作において使用するためのスイッチングシークエンスの例を示す図である。
【図８】本発明の教示に従うリエントラントプローブの概略図である。
【図９】スイッチを使用して、ＬＦ発生器を２つ又はそれ以上の電極と結合すると共に高周波数電力を提供するために使用可能な種類の回路の例を示す図である。
【図１】
2008541367.tif 000003
【図２】
2008541367.tif 000004
【図３】
2008541367.tif 000005
【図４】
2008541367.tif 000006
【図５】
2008541367.tif 000007
【図６】
2008541367.tif 000008
【図７ａ】
2008541367.tif 000009
【図７ｂ】
2008541367.tif 000010
【図８】
2008541367.tif 000011
【図９】
2008541367.tif 000012
【国際調査報告】
2008541367.tif 000013
2008541367.tif 000014
2008541367.tif 000015
2008541367.tif 000016
2008541367.tif 000017
2008541367.tif 000018